【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
入力信号のレベルを示す第１のパルス変調信号（＋ＰA）と、上記入力信号のレベルの補数を示す第２のパルス変調信号（＋ＰB）をレベル反転して得られる第２の反転パルス変調信号（−ＰB）とを、第１のパルス信号として基準周期ごとに交互に出力するとともに、上記第２のパルス変調信号（＋ＰB）と、上記第１のパルス変調信号をレベル反転して得られる第１の反転パルス変調信号（−ＰA）とを、第２のパルス信号として上記基準周期ごとに交互に出力すパルス変調手段と、
スイッチング素子を含み、上記パルス変調手段からの上記第１のパルス信号にしたがってスイッチング出力を供給する第１の出力回路と、
スイッチング素子を含み、上記パルス変調手段からの上記第２のパルス信号にしたがってスイッチング出力を供給する第２の出力回路と
を備え、
上記第１の出力回路の出力端と、上記第２の出力回路の出力端との間に、負荷が接続される
ことを特徴とするパワーアンプ。
【請求項２】
請求項１に記載のパワーアンプにおいて、
上記パルス変調手段は、
上記入力信号を、上記基準周期ごとにそのレベルを示す第１のパルス変調信号に変換して出力する第１のパルス変調回路と、
上記入力信号を、上記基準周期ごとにそのレベルの補数を示す第２のパルス変調信号に変換して出力する第２のパルス変調回路と、
上記第１のパルス変調回路からの出力を、レベル反転して第１の反転パルス変調信号を出力する第１の反転回路と、
上記第２のパルス変調回路からの出力を、レベル反転して第２の反転パルス変調信号を出力する第２の反転回路と、
上記第１のパルス変調信号と、上記第２の反転パルス変調信号とを、上記基準周期ごとに交互に選択して上記第１のパルス信号を出力する第１の選択回路と、
上記第２のパルス変調信号と、上記第１の反転パルス変調信号とを、上記基準周期ごとに交互に選択して上記第２のパルス信号を出力する第２の選択回路と
を備えることを特徴とするパワーアンプ。
【請求項３】
請求項１に記載のパワーアンプにおいて、
上記パルス変調手段は、
上記入力信号のレベルに対応付けて、少なくともそのレベルを示す第１のパルス波形データを格納されるメモリと、
上記メモリからの読み出しを制御する制御回路と
を備え、
上記制御回路は、上記メモリからの読み出しを上記基準周期ごとに変更して、上記第１および第２のパルス信号を出力させる
ことを特徴とするパワーアンプ。
【請求項４】
請求項３に記載のパワーアンプにおいて、
上記メモリは、上記入力信号のレベルを示す第１のパルス波形データと、上記入力信号のレベルの補数を示す第２のパルス波形データとを格納し、
上記制御回路は、上記基準周期ごとに、上記第１のパルス波形データと、上記第２のパルス波形データをレベル反転した第２の反転パルス波形データとを交互に読み出すとともに、上記基準周期ごとに、上記第２のパルス波形データと、上記第１のパルス波形データをレベル反転した第１の反転パルス波形データとを交互に読み出すよう上記メモリの読み出しを制御する
ことを特徴とするパワーアンプ。
【請求項５】
請求項３に記載のパワーアンプにおいて、
上記制御回路は、上記基準周期ごとに、上記第１のパルス波形データと、上記第１のパルス波形データを逆の順序で読み出した逆順パルス波形データとを交互に読み出すとともに、上記基準周期ごとに、上記逆順パルス波形データをレベル反転した第２の反転パルス波形データと、上記第１のパルス波形データをレベル反転した第１の反転パルス波形データとを交互に読み出すよう上記メモリの読み出しを制御する
ことを特徴とするパワーアンプ。
【請求項６】
請求項１に記載のパワーアンプにおいて、
上記パルス変調手段は、
上記入力信号を、上記基準周期ごとにそのレベルを示す第１のパルス変調信号に変換して出力する第１のパルス変調回路と、
上記入力信号を、上記基準周期ごとにそのレベルの補数を示す第２のパルス変調信号に変換して出力する第２のパルス変調回路と、
上記第１のパルス変調信号の時間軸の前後を反転して第２の時間反転パルス変調信号を出力する第１の反転回路と、
上記第２のパルス変調信号の時間軸の前後を反転して第１の時間反転パルス変調信号を出力する第２の反転回路と、
上記第１のパルス変調信号と、上記第２の時間反転パルス変調信号とを、上記基準周期ごとに交互に選択して上記第１のパルス信号を出力する第１の選択回路と、
上記第２のパルス変調信号と、上記第１の時間反転パルス変調信号とを、上記基準周期ごとに交互に選択して上記第２のパルス信号を出力する第２の選択回路と
を備えることを特徴とするパワーアンプ。
【請求項７】
請求項１に記載のパワーアンプにおいて、
上記第１および第２の出力回路は、１対のスイッチング素子がプッシュプル接続されて構成され、
上記第１の出力回路の上記１対のスイッチング素子には、上記第１のパルス信号と、この第１のパルス信号をレベル反転した第１の反転パルス信号とを、それぞれ供給され、
上記第２の出力回路の上記１対のスイッチング素子には、上記第２のパルス信号と、この第２のパルス信号をレベル反転した第２の反転パルス信号とを、それぞれ供給される
ことを特徴とするパワーアンプ。
【請求項８】
請求項１に記載のパワーアンプにおいて、
上記パルス変調信号がＰＷＭ信号である
ことを特徴とするパワーアンプ。
【請求項９】
入力信号のレベルを示す第１のパルス変調信号（＋ＰA）と、上記入力信号のレベルの補数を示す第２のパルス変調信号（＋ＰB）をレベル反転して得られる第２の反転パルス変調信号（−ＰB）とを、出力パルス信号として基準周期ごとに交互に出力するパルス変調手段と、
スイッチング素子を含み、上記パルス変調手段からの上記出力パルス信号にしたがってスイッチング出力を供給する出力回路と
を備え、
上記出力回路の出力端に負荷が接続される
ことを特徴とするパワーアンプ。
【請求項１０】
請求項９に記載のパワーアンプにおいて、
上記パルス変調手段は、
上記入力信号を、上記基準周期ごとにそのレベルを示す第１のパルス変調信号に変換して出力する第１のパルス変調回路と、
上記入力信号を、上記基準周期ごとにそのレベルの補数を示す第２のパルス変調信号に変換し、レベル反転して第２の反転パルス変調信号を出力する第２のパルス変調回路と、
上記第１のパルス変調信号と、上記第２の反転パルス変調信号とを、上記基準周期ごとに交互に選択して上記出力パルス信号を出力する選択回路と
を備えることを特徴とするパワーアンプ。
【請求項１１】
請求項９に記載のパワーアンプにおいて、
上記パルス変調手段は、
上記入力信号のレベルに対応付けて、少なくともそのレベルを示す第１のパルス波形データを格納されるメモリと、
上記メモリからの読み出しを制御する制御回路とを備え、
上記制御回路は、上記メモリからの読み出しを、上記基準周期ごとに変更して、上記出力パルス信号を出力する
ことを特徴とするパワーアンプ。
【請求項１２】
請求項１１に記載のパワーアンプにおいて、
上記メモリは、上記入力信号のレベルを示す第１のパルス波形データと、上記入力信号のレベルの補数を示す第２のパルス波形データとを格納し、
上記制御回路は、上記基準周期ごとに、上記第１のパルス波形データと、上記第２のパルス波形データをレベル反転した第２の反転パルス波形データとを交互に読み出すよう上記メモリの読み出しを制御する
ことを特徴とするパワーアンプ。
【請求項１３】
請求項１１に記載のパワーアンプにおいて、
上記制御回路は、上記基準周期ごとに、上記第１のパルス波形データと、上記第１のパルス波形データを逆の順序で読み出した逆順パルス波形データとを交互に読み出すように上記メモリの読み出しを制御する
ことを特徴とするパワーアンプ。
【請求項１４】
請求項９に記載のパワーアンプにおいて、
上記パルス変調手段は、
上記入力信号を、上記基準周期ごとにそのレベルを示す上記第１のパルス変調信号に変換して出力するパルス変調回路と、
上記第１のパルス変調信号の時間軸の前後を反転して時間反転パルス変調信号を出力する時間反転回路と、
上記第１のパルス変調信号と、上記時間反転パルス変調信号とを、上記基準周期ごとに交互に選択して上記出力パルス信号を出力する選択回路と
を備えることを特徴とするパワーアンプ。
【請求項１５】
請求項９に記載のパワーアンプにおいて、
上記出力回路は、１対のスイッチング素子がプッシュプル接続されて構成され、
上記出力回路の上記１対のスイッチング素子には、上記出力パルス信号と、このパルス信号をレベル反転した反転パルス信号とが、それぞれ供給される
ことを特徴とするパワーアンプ。
【請求項１６】
請求項９に記載のパワーアンプにおいて、
上記パルス変調信号がＰＷＭ信号である
ことを特徴とするパワーアンプ。
【手続補正２】
【補正対象書類名】明細書
【補正対象項目名】０００４
【補正方法】変更
【補正の内容】
【０００４】
この場合、ＰＷＭ信号ＰA、ＰBのパルス幅は、入力信号Ｐinの示すレベル（信号Ｐinとなったアナログ信号のサンプルごとのレベル。以下同様）に対応して変化するものであるが、図１２に示すように、一方のＰＷＭ信号ＰAのパルス幅は、入力信号Ｐinの示すレベルに対応した大きさとされ、他方のＰＷＭ信号ＰBのパルス幅は、入力信号Ｐinの示すレベルの２の補数に対応した大きさとされる。また、ＰＷＭ信号ＰA、ＰBは、その立ち上がり時点が、基準周期、すなわち、ＰＷＭ信号ＰA、ＰBの１サイクル期間Ｔcの開始時点に固定され、その立ち下がり時点が入力信号Ｐinの示すレベルに対応して変化するものとされる。
【手続補正３】
【補正対象書類名】明細書
【補正対象項目名】００１９
【補正方法】変更
【補正の内容】
【００１９】
【課題を解決するための手段】
この発明においては、
入力信号のレベルを示す第１のパルス変調信号（＋ＰA）と、上記入力信号のレベルの補数を示す第２のパルス変調信号（＋ＰB）をレベル反転して得られる第２の反転パルス変調信号（−ＰB）とを、第１のパルス信号として基準周期ごとに交互に出力するとともに、上記第２のパルス変調信号（＋ＰB）と、上記第１のパルス変調信号をレベル反転して得られる第１の反転パルス変調信号（−ＰA）とを、第２のパルス信号として上記基準周期ごとに交互に出力すパルス変調手段と、
スイッチング素子を含み、上記パルス変調手段からの上記第１のパルス信号にしたがってスイッチング出力を供給する第１の出力回路と、
スイッチング素子を含み、上記パルス変調手段からの上記第２のパルス信号にしたがってスイッチング出力を供給する第２の出力回路と
を備え、
上記第１の出力回路の出力端と、上記第２の出力回路の出力端との間に、負荷が接続される
ことを特徴とするパワーアンプ
とするものである。
したがって、出力電圧のエッジの数が１／２となり、輻射が低減する。